【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段によるフレアの検出結果に応じて、前記眼底画像の周縁部の画素値を調整するための前記眼底画像の補正処理を制御する制御手段と、
を備えることを特徴とする眼科撮影装置。
【請求項２】
被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段による検出結果に従って、前記フレアの有る眼底画像上の領域と前記フレアの無い眼底画像上の領域とに対して前記眼底画像の光量を補正するための補正処理を切り換える制御をする制御手段と、
を備えることを特徴とする眼科撮影装置。
【請求項３】
前記検出手段は、前記眼底画像の撮像前に前記照明された眼底からの光の測光値に基づいて、前記撮像された眼底画像の周縁部のフレアを検出することを特徴とする請求項１または２に記載の眼科撮影装置。
【請求項４】
前記検出手段は、前記眼底の撮像前に前記照明された眼底の赤外光画像に基づいて前記測光値を得ることを特徴とする請求項１乃至３のいずれか１項に記載の眼科撮影装置。
【請求項５】
前記眼科撮影装置は無散瞳型であり、
前記照明手段は、可視光または可視光を含まない赤外光で眼底を照明し、
前記検出手段は、前記赤外光で照明された眼底の赤外光画像に基づいて前記眼底画像の周縁部のフレアを検出することを特徴とする請求項１乃至４のいずれか１項に記載の眼科撮影装置。
【請求項６】
前記制御手段の制御に応じて前記眼底画像に前記補正処理を施す補正手段を更に備えることを特徴とする請求項１乃至５のいずれか１項に記載の眼科撮影装置。
【請求項７】
前記撮像手段により撮像された前記眼底画像の異なる複数の領域の測定により、それぞれの領域の測光値を算出する算出手段を更に備え、
前記検出手段は、前記算出手段により算出された前記測光値の比較により、前記測光値が測定された領域におけるフレア有無の検出を行ない、
前記制御手段は、前記検出手段による検出結果に従って、前記フレアの有る眼底画像上の領域と前記フレアの無い眼底画像上の領域とで前記眼底画像の光量不足を補正するための補正処理を変更し、
前記補正手段は、前記制御手段により変更された前記補正処理に従い、前記眼底画像の現像処理を行うことを特徴とする請求項６に記載の眼科撮影装置。
【請求項８】
前記制御手段は、前記補正処理を行うための補正パラメータの変更、あるいは、前記補正処理を行うための補正関数値の変更により前記補正処理を変更することを特徴とする請求項７に記載の眼科撮影装置。
【請求項９】
前記フレアの有る前記眼底画像上の領域に対して、前記制御手段により変更された前記補正処理により求められる補正量は、前記フレアの無い前記眼底画像上の領域に対する補正量よりも小さいことを特徴とする請求項７または８に記載の眼科撮影装置。
【請求項１０】
前記算出手段は、前記眼底画像の内部領域を覆う電子マスクを生成し、電子マスク内における前記眼底画像の領域と、電子マスク外における前記眼底画像の領域と、において前記測光値を算出し、
前記検出手段は、前記算出手段によるＮ回目（Ｎ：２以上の自然数）の測定における前記電子マスク内の前記眼底画像の領域の測光値に比べて前記電子マスク外の前記眼底画像の領域の測光値が大きく、かつ、Ｎ−１回目までの測定における前記電子マスク内の前記眼底画像の領域の測光値平均に比べて前記Ｎ回目の測定における前記電子マスク内の領域の前記測光値が大きい場合、前記電子マスク外の領域を、前記フレアの有る領域と判断することを特徴とする請求項７に記載の眼科撮影装置。
【請求項１１】
前記測光値は、前記撮像手段により撮像された前記眼底画像の明るさを示す情報であることを特徴とする請求項１または２に記載の眼科撮影装置。
【請求項１２】
前記制御手段は、前記フレアの無い領域の前記眼底画像に対して、光量落ち補正処理を行なうように前記補正処理の実行を制御し、
前記制御手段は、前記フレアの有る領域の前記眼底画像に対して、光量落ち補正処理を行わないように前記補正処理の実行を制御することを特徴とする請求項１または２に記載の眼科撮影装置。
【請求項１３】
光路上に配置されたリング状の開口部を介して、前記被検眼に光を導く照明光学手段を更に備えることを特徴とする請求項１または２に記載の眼科撮影装置。
【請求項１４】
前記算出手段は、前記被検眼のアライメントが行われている間に、前記測光値を算出することを特徴とする請求項７に記載の眼科撮影装置。
【請求項１５】
前記被検眼を観察するためのライブビュー機能が使用されない場合に、前記算出手段は前記測光値の算出を行わないことを特徴とする請求項１４に記載の眼科撮影装置。
【請求項１６】
光路上に配置され、前記眼底画像の内部領域を覆う光学マスクを更に備え、
前記算出手段は、前記光学マスクにより覆われる前記眼底画像の内部領域の前記測光値と、前記光学マスクに覆われない前記眼底画像の領域の測光値と、を算出することを特徴とする請求項１４に記載の眼科撮影装置。
【請求項１７】
可視観察用の表示手段から画像を観察している検者を検出する検者検出手段を更に備え、
前記制御手段は、前記検者検出手段の検出結果により前記検者が画像を観察している場合に、赤外観察用の表示手段の表示を行わないように前記赤外観察用の表示手段の表示を制御することを特徴とする請求項１または２に記載の眼科撮影装置。
【請求項１８】
被検眼の眼底を照明する照明手段と、前記照明された撮像して眼底画像を得る撮像手段と、前記眼底からの光の測光値に基づいて前記眼底画像の周縁部のフレアを検出する検出手段と、を有する眼科撮影装置を用いた撮影方法であって、
前記眼科撮影装置の制御手段が、前記検出手段によるフレアの検出結果に応じて、前記眼底画像の周縁部の画素値を調整するための前記眼底画像の補正処理を制御する制御工
を有することを特徴とする撮影方法。
【請求項１９】
被検眼の眼底を照明する照明手段と、前記照明された眼底を撮像して眼底画像を取得する撮像手段と、前記眼底からの光の測光値に基づいて前記眼底画像の周縁部のフレアを検出する検出手段と、を有する眼科撮影装置を用いた撮影方法であって、
前記眼科撮影装置の制御手段が、前記検出手段による検出結果に従って、前記フレアの有る眼底画像上の領域と前記フレアの無い眼底画像上の領域とに対して前記眼底画像の光量を補正するための補正処理を切り換える制御をする制御工程
を有することを特徴とする撮影方法。
【請求項２０】
前記眼科撮影装置の補正手段が、前記制御工程の制御に応じて前記眼底画像に前記補正処理を施す補正工程を更に有することを特徴とする請求項１８または１９に記載の撮影方法。
【手続補正２】
【補正対象書類名】明細書
【補正対象項目名】０００６
【補正方法】変更
【補正の内容】
【０００６】
上記の目的を達成するために、本発明にかかる眼科撮影装置は、被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段によるフレアの検出結果に応じて、前記眼底画像の周縁部の画素値を調整するための前記眼底画像の補正処理を制御する制御手段と、を備えることを特徴とする。
あるいは、本発明にかかる眼科撮影装置は、被検眼の眼底を照明する照明手段と、
前記照明された眼底を撮像して眼底画像を取得する撮像手段と、
前記眼底からの光の測光値に基づいて前記眼底画像の周縁部のフレアを検出する検出手段と、
前記検出手段による検出結果に従って、前記フレアの有る眼底画像上の領域と前記フレアの無い眼底画像上の領域とに対して前記眼底画像の光量を補正するための補正処理を制御する制御手段と、を備えることを特徴とする。
【手続補正３】
【補正対象書類名】明細書
【補正対象項目名】発明の名称
【補正方法】変更
【補正の内容】
【発明の名称】眼科撮影装置および眼科撮影装置を用いた撮影方法
【手続補正４】
【補正対象書類名】明細書
【補正対象項目名】０００１
【補正方法】変更
【補正の内容】
【０００１】
本発明は、眼科撮影装置および眼科撮影装置を用いた撮影方法に関するものである。